(57)【要約】【課題】容易に施工でき、孔の寸法形状に対する適合性が高く、密閉性にも優れる養生キャップおよびその施工方法を提供する。【解決手段】床スラブ４に設けられた床スリーブ３内に袋体２を配置し、この袋体内に流体を供給し、袋体を膨張させて貫通孔を閉塞する養生キャップとする。支持体１は床スリーブ３の開口を覆う平板状とし、その底面に袋体２を吊り下げる。袋体２はゴム等の弾性伸縮材料を用いて形成する。【選択図】図１
2006193969.tif 000002
【特許請求の範囲】
【請求項１】
床スラブに設けられた貫通孔に養生キャップを取り付ける方法であって、
内部への流体の給排により膨縮自在なように構成された袋体を、前記貫通孔内に配置する工程と、
この貫通孔内の袋体内に流体を供給し、袋体を膨張させて前記貫通孔を閉塞する工程とを含む、
ことを特徴とする養生キャップの施工方法。
【請求項２】
床スラブに設けられた貫通孔に取り付けられる養生キャップであって、
内部への流体の給排により膨縮自在なように構成された袋体と、
この袋体を前記貫通孔内に支持する支持体とからなり、
前記貫通孔内に支持された袋体を膨張させ、この膨張した袋体により前記貫通孔を閉塞するように構成した、
ことを特徴とする養生キャップ。
【請求項３】
前記袋体が弾性伸縮材料からなるものである、請求項２記載の養生キャップ。
【請求項４】
前記支持体は前記貫通孔の上縁に掛け渡される形状を有し、かつこの支持体における貫通孔内と対応する部分に前記袋体が吊り下げられている、請求項２または３記載の養生キャップ。
【請求項５】
前記支持体は前記貫通孔の開口全体を覆う板状体であり、かつ貫通孔側の反対側に引掛け部を有するものである、請求項２〜４のいずれか１項に記載の養生キャップ。
【発明の詳細な説明】
【技術分野】
【０００１】
本発明は、床スリーブ等の床スラブを貫通孔に取り付けられる養生キャップおよびその施工方法に関するものである。
【背景技術】
【０００２】
通常の建設現場では、ダクト等の各種配管あるいは配線等を通す位置に、紙製の筒状体等からなる型枠を設けた状態でコンクリートを打設し、養生がある程度まで進行した後に型枠を撤去して、撤去部分に貫通孔（以下、単に床スリーブともいう）を形成することが行われている。この際、型枠撤去後の床スラブには所謂床スリーブが開口することになるため、その開口には養生キャップと呼ばれる蓋体が装着される。この養生キャップとしては、開口に合わせた寸法形状のものをベニヤ板等で作製して使用したり、所定の寸法形状に設計された既製品を使用したりしているのが現状である。
【０００３】
しかしながら、従来の養生キャップには次のような問題点があった。すなわち、ベニヤ板で作製する養生キャップは、作製の手間が煩雑なだけでなく、床スリーブの開口を覆うように載せ置かれるだけのものであったため、簡単に外れてしまう、密閉性に劣る廃材が発生するといった問題点もあった。
【０００４】
また、既製品の養生キャップはスリーブの寸法形状に合わせたものを選ばなければならず、適合させるのが困難であるという問題点がある。特に、スリーブの形状は崩れる可能性があり、既製品はそのような崩れた形状へ適合させるのが極めて困難である。そして、その結果として、既製品においても密閉性は低くならざるを得ない。養生キャップを必要とする期間は、屋根が未施工であることが殆どであるため、養生キャップの密閉性は極めて重要である。養生キャップの密閉性が低いと階下への雨の浸入を許してしまうおそれがある。
【特許文献１】特開平９−１４４１９３号公報
【発明の開示】
【発明が解決しようとする課題】
【０００５】
そこで、本発明の主たる課題は、容易に施工でき、孔の寸法形状に対する適合性が高く、密閉性にも優れる養生キャップおよびその施工方法を提供することにある。
【課題を解決するための手段】
【０００６】
上記課題を解決した本発明は次記のとおりである。
＜請求項１記載の発明＞
床スラブに設けられた貫通孔に養生キャップを取り付ける方法であって、
内部への流体の給排により膨縮自在なように構成された袋体を、前記貫通孔内に配置する工程と、
この貫通孔内の袋体内に流体を供給し、袋体を膨張させて前記貫通孔を閉塞する工程とを含む、
ことを特徴とする養生キャップの施工方法。
【０００７】
（作用効果）
本発明では、袋体を貫通孔内に配置するとともに、その内部に流体を供給し膨張させるだけで養生キャップを取り付けることができる。この際、袋体からなる養生キャップは、膨張により貫通孔内面の寸法形状にフィットする。よって、貫通孔の寸法形状が崩れている、あるいは孔内面に大きな凹凸がある等、既製品で対応できないような場合であっても確実かつ容易に閉塞することができ、従来よりも高い密閉性を確保できる。また、袋体からなる養生キャップは使用後に内部の流体を排出させれば、取り外すことができ、再利用も容易である。
【０００８】
＜請求項２記載の発明＞
床スラブに設けられた貫通孔に取り付けられる養生キャップであって、
内部への流体の給排により膨縮自在なように構成された袋体と、
この袋体を前記貫通孔内に支持する支持体とからなり、
前記貫通孔内に支持された袋体を膨張させ、この膨張した袋体により前記貫通孔を閉塞するように構成した、
ことを特徴とする養生キャップ。
【０００９】
（作用効果）
請求項１記載の発明と同様の作用効果が奏せられる。また、袋体は支持体により貫通孔内に支持されるため、膨縮のための作業を確実・容易に行うことができる利点もある。
【００１０】
＜請求項３記載の発明＞
前記袋体が弾性伸縮材料からなるものである、請求項２記載の養生キャップ。
【００１１】
（作用効果）
袋体は、少なくとも膨縮して貫通孔内を閉塞できるものであれば良いが、特にゴムのような弾性伸縮材料により形成すると、貫通孔内面への密着性を高くすることができるため好ましい。
【００１２】
＜請求項４記載の発明＞
前記支持体は前記貫通孔の上縁に掛け渡される形状を有し、かつこの支持体における貫通孔内と対応する部分に前記袋体が吊り下げられている、請求項２または３記載の養生キャップ。
【００１３】
（作用効果）
このように構成されていると、床上から袋体を貫通孔内に挿入しつつ支持体を貫通孔の上縁に掛け渡すように置くだけで準備ができ、作業が容易である。
【００１４】
＜請求項５記載の発明＞
前記支持体は前記貫通孔の開口全体を覆う板状体であり、かつ貫通孔側の反対側に引掛け部を有するものである、請求項２〜４のいずれか１項に記載の養生キャップ。
【００１５】
（作用効果）
貫通孔の開口に袋体が露出していると、袋体を破損するおそれがあるため好ましくない。よって、支持体により貫通孔の開口を覆う板状にするのが好ましい。この場合、支持体の取り外しが困難になるため、支持体における貫通孔側の反対側に引掛け部を設けておくのが好ましい。
【発明の効果】
【００１６】
以上のとおり本発明によれば、容易に施工でき、孔の寸法形状に対する適合性が高く、密閉性にも優れるようになるなどの利点がもたらされる。
【発明を実施するための最良の形態】
【００１７】
以下、本発明の一実施形態について添付図面を参照しながら詳説する。
図１〜図４は、本発明に係る養生キャップの一施工形態を示している。養生キャップは、支持体１と、支持体１に取り付けられた膨縮自在の袋体２とにより構成されている。
【００１８】
支持体１は、床スラブ４に設けられた床スリーブ３（貫通孔）の開口を覆いうる大きさの平板とされている。このような支持体１は、鉄板、木板、合成樹脂板等、各種の材料で形成することができる。支持体１の取り外しを容易にするために、支持体１の上面には、図５にも示すように引掛け部１ａを設けるのが好ましい。また、支持体１は、作業の安全のために少なくとも上面を蛍光色により塗装するのが好ましい。支持体１の形状は、板状に限定されるものではなく、袋体２を床スリーブ３内に支持することができる限り、棒状等、各種の形態を採ることができる。
【００１９】
一方、袋体２は、内部への流体の給排を行うための入口２ａを有する形状をなしている。袋体２は、ポリプロピレン等の可撓性樹脂により形成することもできるが、ゴム等の弾性伸縮材料により形成するのが好ましい。簡易には、市販の厚手の風船を用いることができる。袋体入口２ａには、逆止弁、栓、コック等の開閉機構が設けられる。このような開閉機構としては、風船用の各種弁体の他、ゴムやビニール製の膨縮可能なボール、ボート等に採用されている各種の弁体を用いることができる。
【００２０】
支持体１に対する袋体２の取り付け構造としては、本発明の機能を発揮しうる限り特に限定されるものではないが、図示のように、支持体１のほぼ中央部に取付孔を貫通形成し、この取付孔に袋体の入口２ａ部分、特に弁体のような強度のある部分を接着する、接着テープで止める若しくは紐で結ぶことにより取り付けるのが好ましい。この場合、支持体１の上側から袋体の入口２ａに対する作業が可能になる。
【００２１】
施工に際しては、先ず図１に示すように、袋体２を床スリーブ３内に挿入するとともに、床スリーブ３の上側開口全体を覆うように支持体１を載置する。支持体１は床スリーブ３の開口の縁部に掛け渡され、この支持体１から床スリーブ３内に袋体２が吊り下げられた状態となる。
【００２２】
この設置が完了したならば、続いて図２に示すように、コンプレッサー５を袋体２の入口２ａに接続して袋体２内に空気を供給し、床スリーブ３内に吊り下げられた袋体２を膨張させ、袋体２外面を床スリーブ３内周面に密着させる。十分に空気を供給したならば、供給を停止し、袋体入口２ａの開閉機構を閉状態にする。開閉機構が逆止弁である場合には空気供給を停止すれば自動的に閉状態となる。本発明では、原理的には袋体２内に供給する流体は水等の液体であっても良いが、実用的には空気等の気体が好ましい。膨張した袋体２は、養生キャップとして、床スリーブ３内面の凹凸の有無に関係なくフィットし、床スリーブ３を密閉する。また支持体１は床スリーブ３内の袋体２を保護する役割を担う。
【００２３】
養生キャップが不要になったならば、図３に示すように、袋体２から内部の空気を排出させて収縮させる。なお、図２及び図３に示す例では、袋体２の入口２ａにフラップ弁タイプの開閉機構を設け、空気の給排に際しては、中空針状部材６を袋体２の入口から挿入して弁体を押し開け、この状態で中空針状部材６内を介して給排を行う形態を想定しているが、開閉機構に応じて栓を開ける等の各種の形態を採ることができる。
【００２４】
袋体２を収縮させたならば、図４に示すように、支持体１を持ち上げることにより、床スリーブ３を開口させることができる。図示形態では、支持体１の上面に引掛け部１ａを設けてあるため、この部分にフック７を引掛けて持ち上げることにより、平板状の支持体１であっても容易に取り外すことができる。そして、このように、本発明の養生キャップは、流体を排出させれば、元通りになり容易に再利用することができる。
【産業上の利用可能性】
【００２５】
本発明は、建設途中において床スラブの貫通孔を閉塞する場合であれば、特に限定なく使用でき、例えば既製の筒状体により貫通孔内面が形成されている場合であっても適用できるものである。また、支持体を用いずに袋体のみで施工することもできる。
【図面の簡単な説明】
【００２６】
【図１】本発明の施工要領を概略的に示す縦断面図である。
【図２】本発明の施工要領を概略的に示す縦断面図である。
【図３】本発明の施工要領を概略的に示す縦断面図である。
【図４】本発明の施工要領を概略的に示す縦断面図である。
【図５】図１のV-V断面図である。
【符号の説明】
【００２７】
１…支持体、２…袋体、３…床スリーブ、４…床スラブ、５…コンプレッサー、６…中空針状部材、７…フック。
【図１】
2006193969.tif 000003
【図２】
2006193969.tif 000004
【図３】
2006193969.tif 000005
【図４】
2006193969.tif 000006
【図５】
2006193969.tif 000007